(57)【特許請求の範囲】
【請求項１】
ロータリダイカッタのナイフシリンダの外周面に取り付けられる刃物取付台の回転方向の一端部を固定するロータリダイカッタの刃物取付台固定装置において、上記ナイフシリンダの外周面に、ナイフシリンダと同軸方向の溝を形成し、上記刃物取付台の回転方向の一端部を固定する押えバーを上記溝内に本体部を挿入して該溝の両側部側に軸支するとともに、該押えバーの回転方向の一端部に、上記刃物取付台の一端部をナイフシリンダの半径方向に加圧して固定する押え部と、上記刃物取付台の一端部端面を係止するストッパー部とを設け、該押え部を刃物取付台の固定部側に押しつける加圧手段と、該押え部を刃物取付台の固定部側から引き離す解放手段を上記溝内に、本体部を挟んで配設し、上記加圧手段または解放手段のいずれか一方に圧縮ばねを用い、いずれか他方にフレキシブルチューブを用いるとともに、該フレキシブルチューブ内に流体を供給してフレキシブルチューブに反撥力を付与するとともに、流体を抜いて圧力を抜き、該フレキシブルチューブの圧力と圧縮ばねの反発力を調整して上記フレキシブルチューブと圧縮ばねを上記加圧手段または解放手段として用いるようにしたことを特徴とするロータリダイカッタの刃物取付台固定装置。
【請求項２】
ロータリダイカッタのナイフシリンダの外周面に取り付けられる刃物取付台を固定するロータリダイカッタの刃物取付台固定装置において、上記ナイフシリンダの外周面に、互いに相対的に軸方向に接離可能に装着された一対の固定用リングを設け、上記ナイフシリンダの外周面に、ナイフシリンダと同軸方向の溝を形成し、上記刃物取付台の回転方向の一端部を固定する押えバーを上記溝内に本体部を挿入して該溝の両側部側に軸支するとともに、該押えバーの回転方向の一端部に、上記刃物取付台の一端部をナイフシリンダの半径方向に加圧して固定する押え部と、上記刃物取付台の一端部端面を係止するストッパー部とを設け、上記押え部を刃物取付台の固定部側に押しつける加圧手段と、該押え部を刃物取付台の固定部側から引き離す解放手段を上記溝内に、本体部を挟んで配設し、上記加圧手段または解放手段のいずれか一方に圧縮ばねを用い、いずれか他方に軸に装着した偏芯輪を用いるとともに、該偏芯輪を回転させて反撥力を付与するとともに、該偏芯輪の圧力と圧縮ばねの反発力を調整して上記該偏芯輪と圧縮ばねを上記加圧手段または解放手段とし、上記加圧手段を介して上記押えバーの押え部を上記刃物取付台の固定部側に押しつけるとともに、上記一対の固定用リングを介して上記刃物取付台の両端部を上記ナイフシリンダに固定したことを特徴とするロータリダイカッタの刃物取付台固定装置。
【発明の詳細な説明】
【０００１】
【発明の属する技術分野】
本発明は段ボールシート等の打抜加工に使用するロータリダイカッタのナイフシリンダに刃物取付台を固定するロータリダイカッタの刃物取付台固定装置に関する。
【０００２】
【従来の技術】
図７（Ａ），（Ｂ）ないし図１１は、従来のロータリダイカッタの構造説明図である。
図７（Ａ），（Ｂ）に示すようなロータリダイカッタによって、印刷済みの段ボールシート１に所定の罫入を行ったり、打抜加工を行っている。
ロータリダイカッタは互いに逆方向に回転するアンビルシリンダ２とナイフシリンダ３を備えており、ナイフシリンダ３に刃物取付台４が取り付けられている。この刃物取付台４には切断ナイフ５が装着されており、ナイフシリンダ３の回転に伴って切断ナイフ５により段ボールシート１に所定の加工を施している。
【０００３】
この種のロータリダイカッタは、それぞれ左右方向に延びる上部ステー６および下部ステー７を介して上部側および下部側を連結された左右一対の架台フレーム８（８ａ、８ｂ）を互いに平行的に立設し、これら両フレーム８ａ、８ｂの上部、下部に、それぞれ左右方向に延びるアンビルシリンダ２およびナイフシリンダ３が軸支されている。
これらアンビルシリンダ２およびナイフシリンダ３には、それぞれ片側の軸端に互いに噛合するギヤ９、１０が装着されている。アンビルシリンダ２およびナイフシリンダ３は、図示省略のギヤ駆動手段を介してギヤ９、１０に動力が伝達され、これらギヤ９、１０の回転に伴って互いに同期して対向的に反対方向に回転するものである。
両シリンダ２，３の上流側には、段ボールシート１をアンビルシリンダ２およびナイフシリンダ３の間に供給する上下一対の送りロール１１ａ、１１ｂが配置されている。
【０００４】
上記ナイフシリンダ３の外周面には、刃物取付台４を介して切断ナイフ５もしくは罫線ルール等が取付けられているので、送りロール１１ａ、１１ｂによって前工程である印刷工程から順次搬送されてくる段ボールシート１は、アンビルシリンダ２とナイフシリンダ３に固着した切断ナイフ５または罫線ルールの挾持回転によって打抜もしくは罫入等所定の加工を行うことができるようになっている。
【０００５】
次に、切断ナイフ５を固着した刃物取付台４の設定について説明すると、ナイフシリンダ部は、図８ないし図１０に示すように、ナイフシリンダ３の外周面に軸方向に延びる長方形断面の当て金１２をネジ１３によってネジ止めして突設しており、この当て金１２に刃物取付台４の回転方向の一端部を当接させて位置決めしている。
刃物取付台４は、図１１に示すように、湾曲長方形状に形成されており、この刃物取付台４の前端を前記当て金１２に当接させて位置決めした後、ナイフシリンダ３の外周面へ加工形成してあるねじ孔１４を利用し、皿ボルト１５をねじ込んで後端側へ順次固定してゆくのである。
【０００６】
しかしながら、このような刃物取付台の設定構造では、ナイフシリンダ３の回転に伴う切断ナイフ５の刃先部の回転半径を高い精度で維持するために、刃物取付台４の固定用皿ボルト１５を図１１に示すように多量に使用するとともに、高密度で取り付ける必要がある。
【０００７】
従って、オーダチェンジに伴う刃物取付台４の差し替え交換に際しては、多数の皿ボルト１５の着脱に少なからざる時間がかかり、このためダイカットの稼働率を低下させる大きな要因となっている。今日、多種少量生産に対処すべく頻繁なオーダチェンジが行われる場合が多く、そのニーズから再設定時間の短縮化が大きな課題となっている。
【０００８】
そこで、本出願人は特願平７−６３４２５号の装置を先に提案した。その概要を図１２ないし図１４により説明する。
即ち当て金１６に傾斜を有する凹部１６ａを設けるとともに、これに対応して刃物取付台４にも先端部に傾斜部４ａを設け、これを前記当て金１６の凹部１６ａに押し込んで楔作用で先端部を固定する。一方、ナイフシリンダ３上を摺動する一対の固定用リング１７１  ，１７２  を設け、この固定用リング１７１  ，１７２  をボルト１８を介してボルト締めして、刃物取付台４の両側面を固定する。傾斜部４ａの表面には補強金具１９を当てて保護している。
これによって皿ボルト１５の使用数を極力減少し、以て刃物取付台４の交換時間の短縮を図るものである。
【０００９】
【発明が解決しようとする課題】
しかしながら、この装置においては刃物取付台４の先端部の位置決めの基準に斜面を利用しているため、刃物取付台４の先端傾斜部４ａが長期使用により摩耗、変形してきたり、取付け時、刃物取付台４を当て金１６の凹部１６ａに押し込む時の力のばらつき等により、円周方向の取付け位置が狂うことがあった。
【００１０】
本発明の目的は、刃物取付台位置決めを容易に行うことができるロータリダイカッタの刃物取付台固定装置を提供することにある。
【００１１】
【課題を解決するための手段】
本発明は上記課題を解決するため、ロータリダイカッタのナイフシリンダの外周面に取り付けられる刃物取付台の回転方向の一端部を固定するロータリダイカッタの刃物取付台固定装置において、上記ナイフシリンダの外周面に、ナイフシリンダと同軸方向の溝を形成し、上記刃物取付台の回転方向の一端部を固定する押えバーを上記溝内に本体部を挿入して該溝の両側部側に軸支するとともに、該押えバーの回転方向の一端部に、上記刃物取付台の一端部をナイフシリンダの半径方向に加圧して固定する押え部と、上記刃物取付台の一端部端面を係止するストッパー部とを設け、該押え部を刃物取付台の固定部側に押しつける加圧手段と、該押え部を刃物取付台の固定部側から引き離す解放手段を上記溝内に、本体部を挟んで配設し、上記加圧手段または解放手段のいずれか一方に圧縮ばねを用い、いずれか他方にフレキシブルチューブを用いるとともに、該フレキシブルチューブ内に流体を供給してフレキシブルチューブに反撥力を付与するとともに、流体を抜いて圧力を抜き、該フレキシブルチューブの圧力と圧縮ばねの反発力を調整して上記フレキシブルチューブと圧縮ばねを上記加圧手段または解放手段として用いるようにしたことにある。
また、本発明は、ロータリダイカッタのナイフシリンダの外周面に取り付けられる刃物取付台を固定するロータリダイカッタの刃物取付台固定装置において、上記ナイフシリンダの外周面に、互いに相対的に軸方向に接離可能に装着された一対の固定用リングを設け、上記ナイフシリンダの外周面に、ナイフシリンダと同軸方向の溝を形成し、上記刃物取付台の回転方向の一端部を固定する押えバーを上記溝内に本体部を挿入して該溝の両側部側に軸支するとともに、該押えバーの回転方向の一端部に、上記刃物取付台の一端部をナイフシリンダの半径方向に加圧して固定する押え部と、上記刃物取付台の一端部端面を係止するストッパー部とを設け、上記押え部を刃物取付台の固定部側に押しつける加圧手段と、該押え部を刃物取付台の固定部側から引き離す解放手段を上記溝内に、本体部を挟んで配設し、上記加圧手段または解放手段のいずれか一方に圧縮ばねを用い、いずれか他方に軸に装着した偏芯輪を用いるとともに、該偏芯輪を回転させて反撥力を付与するとともに、該偏芯輪の圧力と圧縮ばねの反発力を調整して上記該偏芯輪と圧縮ばねを上記加圧手段または解放手段とし、上記加圧手段を介して上記押えバーの押え部を上記刃物取付台の固定部側に押しつけるとともに、上記一対の固定用リングを介して上記刃物取付台の両端部を上記ナイフシリンダに固定したことにある。
【００１２】
【発明の実施の形態】
以下、図１２ないし図１４と同一部分は同符号を付してその説明を省略して示す図１ないし図３に従って本発明の実施の形態を詳細に説明する。
図１ないし図３において、ロータリダイカッタのナイフシリンダ３０には、外周面の表面軸方向に全幅に亘って溝３０ａが設けられている。
ナイフシリンダ３０の溝３０ａの左右の両開放端面には支持板３１が配設され、この支持板３１はナイフシリンダ３０の側面に取付けられている。この支持板３１には、板面に孔３１ａが設けられ、この孔３１ａには、押えバー３２の両端軸部３２ａが回転可能に支持されている。
押えバー３２のナイフシリンダ回転方向の一方の一端部には、刃物取付台３３の一端部に設けられた段状の前端部３３ａを、ナイフシリンダ３０の半径方向に加圧して押える押え部３２ｂが設けられている。押え部３２ｂに近接して押え面から突出るストッパー部３２ｆが設けられている。このストッパー部３２ｆは刃物取付台３３の一端部端面を係止して、回転方向の位置決めを図るものである。押えバー３２の回転方向他方の他端部には、突き出し部３２ｃが設けられ、押え部３２ｂと突き出し部３２ｃの中間部に、溝３０ａ内に挿入される本体部３２ｄが設けられている。本体部３２ｄの側面ならびに突き出し部３２ｃの下面および溝３０ａの底面ならびに側面とで、概ね断面正方形をなす空間Ｓを形成している。この空間Ｓ内に内部が中空のフレキシブルチューブ３４が格納されている。
【００１３】
フレキシブルチューブ３４の一端には接手３５があり、溝３０ａの底面に固定されている。接手３５の下部の溝３０ａの底面には、図３に示す如く、ナイフシリンダ３０の軸端部３０ｂから流通孔３０ｃがあけられている。軸端部３０ｂにはロータリジョイント３６が設けられており、これを介してナイフシリンダ３０と共に回転するフレキシブルチューブ３４に空気や油等の流体を供給できるようにしている。
また、溝３０ａ内の押え部３２ｂと本体部３２ｄの間（以下ここを、押し上げ部３２ｇとする）には、軸方向適宜の間隔で複数の圧縮ばね３７が、押え部３２ｂを押し上げるように配置されている。
【００１４】
刃物取付台３３の前端は段状に形成され、先端は保護金具３８で覆われている。また刃物取付台３３の前端部ほぼ中央部には、凸部としての位置決め金具３９が取付けられており、これが押えバー３２のほぼ中央部に設けられた凹部３２ｅに係合して幅方向（横方向）の位置決めがなされている。
刃物取付台３３の側面は、従来技術として説明した図１２の固定用リング１７１  ，１７２  により固定する。固定用リング１７１  ，１７２  は、ナイフシリンダ３０の外周面に、軸方向に互いに接離可能に装着され、刃物取付台３３の両側面を押さえた位置でボルト締めされている。
【００１５】
次に上記構成の取付手順を説明する。
刃物取付台３３をナイフシリンダ３０に取り付けるときは、先ずフレキシブルチューブ３４の圧力を抜く。するとフレキシブルチューブ３４の加圧力が無くなり、圧縮ばね３７の作用で押え部３２ｂが押し上げられ、図１の二点鎖線の如く、ナイフシリンダ３０の表面との隙間が大きくなる。この状態で刃物取付台３３の位置決め金具３９を押えバー３２の凹部３２ｅに案内させながら、先端部を押えバー３２のストッパー部３２ｆに当たるまで押し込む。これにより刃物取付台３３のナイフシリンダ上での回転方向および横方向の位置決めがなされる。
【００１６】
次いで、フレキシブルチューブ３４に流体圧をかけると、チューブ３４が膨らんで押えバー３２の突き出し部３２ｃを押し上げる。押えバー３２の押え部３２ｂは、軸部３２ａを中心に回動し、押え部３２ｂが降下する。
これによって、刃物取付台３３の前端がナイフシリンダ３０の表面と押え部３２ｂの間に挾持される。
次いで、固定用リング１７１  ，１７２  をナイフシリンダ３０の軸方向に互いに相対的に接離させて刃物取付台３３の側面を固定し、なお必要あれば適宜の箇所を皿ボルト１５で必要最小限固定する。
【００１７】
刃物取付台３３を取外すときは、上記と逆の手順で行う。
このようにして、本発明によれば、刃物取付台３３を短時間で正確にナイフシリンダ３０に固定できる。
【００１８】
図４および図５は本発明の第２の実施の形態である。
本例は、加圧装置としてフレキシブルチューブ３４に代わる機械的加圧手段を用いる例であり、加圧手段以外の構成は第１の実施の形態と同じである。
押えバー３２の突き出し部３２ｃの下部には、軸４０が支持板３１に回転可能に支持されている。軸４０には、偏芯位置を軸支された偏芯輪４１が適宜の位置（図では３箇所）に取付けられている。軸４０の一端４０ａは支持板３１から突き出ており、一端４０ａの断面は四角形または六角形に形成され、図示しないハンドルで軸４０を回転できるようになっている。
支持板３１には、止めねじ４２が設けられており、止めねじ４２を締めることで軸４０の回転を止めることができる。
【００１９】
軸４０を回転するとそれに固定された偏芯輪４１が回転し、それに摺接する押えバー３２の突き出し部３２ｃを上下する。それにより、押えバー３２は軸部３２ａの回りに回転し押え部３２ｂが刃物取付台３３を挾持したり、解放したりする。軸４０は止めねじ４２にて固定されているので運転中回転することはない。
【００２０】
図６は第３の実施の形態である。第１、第２の実施の形態では、刃物取付台３３を固定するとき、突き出し部３２ｃを押し上げるフレキシブルチューブ３４または偏芯輪４１を作用させ、解放するときに、押し上げ部３２ｇにある圧縮ばね３７を作用させるように配置している。
図６は、それと反対に突き出し部３２ｃに圧縮ばね４３を配して刃物取付台３３を固定するよう作用させ、押し上げ部３２ｇにフレキシブルチューブ４４を配して解放作用をさせるようにしたものである。
勿論、押し上げ部３２ｇに実施例２の偏芯輪を配することも可能である。
【００２１】
作用効果は基本的には同じであるが、固定時の加圧をばねにし、解放をフレキシブルチューブまたは偏芯輪とすることにより、運転中刃物取付台３３は圧縮ばねで固定されている。従って、実施の形態１、２のように万一運転中、流体圧が抜けたり、偏芯輪が歪んだりして、固定力が無くなるようなおそれがない。
【００２２】
上記実施の形態によれば、以下のような効果を奏する。、
ロータリダイカッタのナイフシリンダ３０の外周面に、ナイフシリンダ３０と同軸方向の溝３０ａを形成し、上記刃物取付台３３の回転方向の一端部を固定する押えバー３２を上記溝内３０ａに本体部３２ｄを挿入して該溝３０ａの両側部側に軸支するとともに、該押えバー３２の回転方向の一端部に、上記刃物取付台３３の一端部をナイフシリンダ３０の半径方向に加圧して固定する押え部３２ｂと、上記刃物取付台３３の一端部端面を係止するストッパー部３２ｆとを設けたので、刃物取付台３３の回転方向の位置決めを容易に行うことができる。よって、刃物取付台３３を短時間で正確にナイフシリンダ３０に固定することができる。
また、該刃物取付台３３の一端部と押えバー３２との対向面に、互いに係合して幅方向の位置決めを行う係合部としての凹部３２ｅと凸部３９ａを設けたので、刃物取付台３３を幅方向に位置決めすることができる。
さらに、該押え部３２を刃物取付台３３の固定部側に押しつける加圧手段としてのフレキシブルチューブ３４と、該押え部３２を刃物取付台３３の固定部側から引き離す解放手段としての圧縮ばね３７を上記溝３０ａ内に、本体部３２ｄを挟んで配設したので、フレキシブルチューブ３４内に圧力を加えることによって、押え部３２を刃物取付台３３の固定部側に押しつけることができるとともに、フレキシブルチューブ３４内に圧力を抜くことによって、圧縮ばね３７が作用し、押え部３２を刃物取付台３３の固定部側から引き離すことができる。
【００２３】
また、ナイフシリンダの外周面に、互いに相対的に軸方向に接離可能に装着された一対の固定用リングを設け、この一対の固定用リングを介して上記刃物取付台の両端部を上記ナイフシリンダに固定したので、従来のネジ等の使用を減らすことができる。。
またさらに、加圧手段または解放手段の一方に弾撥手段としての圧縮ばね３７を用いたので、加圧または解放を確実に行うことができる。
【００２４】
【発明の効果】
本発明のロータリダイカッタの刃物取付台固定装置によると以下の効果を奏する。
ロータリダイカッタのナイフシリンダの外周面に取り付けられる刃物取付台の回転方向の一端部を固定するロータリダイカッタの刃物取付台固定装置において、上記ナイフシリンダの外周面に、ナイフシリンダと同軸方向の溝を形成し、上記刃物取付台の回転方向の一端部を固定する押えバーを上記溝内に本体部を挿入して該溝の両側部側に軸支するとともに、該押えバーの回転方向の一端部に、上記刃物取付台の一端部をナイフシリンダの半径方向に加圧して固定する押え部と、上記刃物取付台の一端部端面を係止するストッパー部とを設け、該押え部を刃物取付台の固定部側に押しつける加圧手段と、該押え部を刃物取付台の固定部側から引き離す解放手段を上記溝内に、本体部を挟んで配設し、上記加圧手段または解放手段のいずれか一方に圧縮ばねを用い、いずれか他方にフレキシブルチューブを用いるとともに、該フレキシブルチューブ内に流体を供給してフレキシブルチューブに反撥力を付与するとともに、流体を抜いて圧力を抜き、該フレキシブルチューブの圧力と圧縮ばねの反発力を調整して上記フレキシブルチューブと圧縮ばねを上記加圧手段または解放手段として用いるようにしたので、刃物取付台の回転方向の位置決めを容易に行うことができる。よって、刃物取付台を短時間で正確にナイフシリンダに固定することができる。
ロータリダイカッタのナイフシリンダの外周面に取り付けられる刃物取付台を固定するロータリダイカッタの刃物取付台固定装置において、上記ナイフシリンダの外周面に、互いに相対的に軸方向に接離可能に装着された一対の固定用リングを設け、上記ナイフシリンダの外周面に、ナイフシリンダと同軸方向の溝を形成し、上記刃物取付台の回転方向の一端部を固定する押えバーを上記溝内に本体部を挿入して該溝の両側部側に軸支するとともに、該押えバーの回転方向の一端部に、上記刃物取付台の一端部をナイフシリンダの半径方向に加圧して固定する押え部と、上記刃物取付台の一端部端面を係止するストッパー部とを設け、上記押え部を刃物取付台の固定部側に押しつける加圧手段と、該押え部を刃物取付台の固定部側から引き離す解放手段を上記溝内に、本体部を挟んで配設し、上記加圧手段または解放手段のいずれか一方に圧縮ばねを用い、いずれか他方に軸に装着した偏芯輪を用いるとともに、該偏芯輪を回転させて反撥力を付与するとともに、該偏芯輪の圧力と圧縮ばねの反発力を調整して上記該偏芯輪と圧縮ばねを上記加圧手段または解放手段とし、上記加圧手段を介して上記押えバーの押え部を上記刃物取付台の固定部側に押しつけるとともに、上記一対の固定用リングを介して上記刃物取付台の両端部を上記ナイフシリンダに固定したので、刃物取付台の回転方向の位置決めを容易に行うことができる。よって、刃物取付台を短時間で正確にナイフシリンダに固定することができる。
【図面の簡単な説明】
【図１】本発明の第１の実施の形態に係る刃物取付台固定装置の部分拡大断面図である。
【図２】図１のＡ矢視図である。
【図３】ナイフシリンダ軸端部の部分詳細図である。
【図４】本発明の第２の実施の形態を示す刃物取付台固定装置の部分拡大断面図である。
【図５】図４のＡ矢視図である。
【図６】本発明の第３の実施の形態を示す刃物取付台固定装置の部分拡大断面図である。
【図７】従来のロータリダイカッタを示し、図７（Ａ）は正面図、図７（Ｂ）は側面図である。
【図８】従来のロータリダイカッタのナイフシリンダを示す斜視図である。
【図９】図８のＢ−Ｂ線断面図である。
【図１０】図８のＣ−Ｃ線断面図である。
【図１１】図８の刃物取付台を示す展開図である。
【図１２】従来のロータリダイカッタのナイフシリンダを示す斜視図である。
【図１３】図１２のＢ−Ｂ線断面図である。
【図１４】図１２のＣ−Ｃ線断面図である。
【符号の説明】
１    段ボールシート
２    アンビルシリンダ
３    ナイフシリンダ
５    切断ナイフ
３０    ナイフシリンダ
３０ａ    溝
３０ｂ    軸端部
３０ｃ    流通孔
３１    支持板
３２    押えバー
３２ａ    軸部
３２ｂ    押え部
３２ｃ    突き出し部
３２ｄ    本体部
３２ｅ    凹部
３２ｆ    ストッパー部
３２ｇ    押し上げ部
３３    刃物取付台
３４    フレキシブルチューブ
３５    接手
３６    ロータリジョイント
３７    圧縮ばね
３８    保護金具
３９    位置決め金具
４０    軸
４０ａ    軸端部
４１    偏芯輪
４２    止めねじ
４３    圧縮ばね
４４    フレキシブルチューブ
【図１】
0003555060.tif 000002
【図２】
0003555060.tif 000003
【図３】
0003555060.tif 000004
【図４】
0003555060.tif 000005
【図５】
0003555060.tif 000006
【図６】
0003555060.tif 000007
【図７】
0003555060.tif 000008
【図８】
0003555060.tif 000009
【図９】
0003555060.tif 000010
【図１０】
0003555060.tif 000011
【図１１】
0003555060.tif 000012
【図１２】
0003555060.tif 000013
【図１３】
0003555060.tif 000014
【図１４】
0003555060.tif 000015